(57)【特許請求の範囲】
【請求項１】
平面形状の外形を形成する側部に矩形の切欠部が形成されるメモリカード本体と、
該メモリカード本体の内部に収容された基板に実装され、データを少なくとも書き込み可能な半導体メモリと、
該メモリカード本体に設けられ該半導体メモリと外部機器とを電気的に接続する端子と、
該メモリカード本体の切欠部の内側における本体内部に形成された摺動孔に摺動自在に嵌合され該半導体メモリへの該データの書込可否を設定する書込可否設定子とを備え、
前記書込可否設定子は、その一部が前記切欠部の一部を覆う第１位置と当該切欠部の他の一部を覆う第２位置とのいずれかの選択により、前記半導体メモリへのデータの書込可否を設定し、
前記メモリカード本体の切欠部の内側に形成された摺動孔は、当該本体の弾性による変形が可能であり、該摺動孔の内部に嵌合溝を形成しており、
前記書込可否設定子は、前記摺動孔に挿入することにより前記嵌合溝に嵌合されて摺動自在であると共に、前記切欠部の一部を覆う摺動位置により前記第１位置と第２位置の選択を視認可能に構成したことを特徴とするメモリカード。
【請求項２】
前記書込可否設定子は、前記摺動孔に挿入して嵌合する嵌合部を有し、当該嵌合部は最大幅部が摺動孔の幅より大きな寸法に形成して、前記本体に形成した嵌合溝に嵌合するように構成したことを特徴とする請求項１記載のメモリカード。
【請求項３】
前記メモリカード本体は、前記嵌合溝内に係合部を形成し、前記書込可否設定子の摺動時における位置決めを行うように構成したことを特徴とする請求項１記載のメモリカード。
【請求項４】
前記書込可否設定子は、嵌合部の先端の幅が摺動孔の幅よりも小さい寸法になるように形成すると共に、その嵌合部の最大幅部に向けて傾斜する傾斜面を形成して、
この書込可否設定子は、その嵌合部を前記摺動孔に嵌合する際、前記嵌合部の傾斜面を強制的に摺動孔に挿入することにより、摺動孔を押し広げてメモリカード本体に嵌合するように構成したことを特徴とする請求項２記載のメモリカード。
【発明の詳細な説明】
【０００１】
【発明の属する技術分野】
本発明は、記憶内容を誤って消去したり、書き換えることを防止する書込可否設定手段を備えたメモリカードに関するものである。
【０００２】
【従来の技術】
従来、メモリカードの書込可否設定手段には、反射シートやスイッチ、あるいは本体に対して大きく露出した設定子を用いたものがあった。
【０００３】
図１２は反射シートによる書込可否設定手段を備えた従来のメモリカードの斜視図を示している。図１２において、３１はメモリカード本体、３２はメモリカード本体３１に一体的に設けられた端子、３３は反射シートである。
【０００４】
メモリカード本体３１の内部には、内容を書き換え可能な半導体メモリ（図示せず）が備わっており、当該半導体メモリと端子３２を介して電気的に接続された機器（図示せず）から記憶内容の読み出しと書き換えが行われる。この例では、書込可否設定手段として反射シート３３を用いている。書込の可不可はメモリカード本体３１の所定の位置に反射シート３３を貼付、あるいはこれを剥離することによって設定される。前記機器においては、メモリカード本体３１の所定の位置の反射状態をフォトカプラなどで検出することにより、その設定を検出するものである。
【０００５】
図１３はスイッチによる書込可否設定手段を備えた従来のメモリカードの斜視図を示している。図１３において、４１はメモリカード本体、４２はメモリカード本体４１に一体的に設けられた端子、４３はスイッチである。
【０００６】
メモリカード本体４１の内部には、内容を書き換え可能な半導体メモリ（図示せず）が備わっており、当該半導体メモリと端子４２を介して電気的に接続された機器（図示せず）から記憶内容の読み出しと書き換えが行われる。この例では、書込可否設定手段としてスイッチ４３を用いている。書込の可不可はスイッチ４３の切り換えによって設定され、これを前記機器において、端子４２を介して電気的にその設定を検出するものである。
【０００７】
【発明が解決しようとする課題】
このようなメモリカードにおいては、メモリカード本体の小型化、薄型化と、書込可否設定操作の簡便化の両立が要求されている。
【０００８】
反射シートによる書込可否設定手段を備えた従来のメモリカードにおいては、書込可否設定手段のための機械的な構造をもたない。このためメモリカード本体の小型化薄型化には有効である。しなしながら、書込の可不可を反射シートの貼付と剥離によって設定するため、書込可否設定操作が不便であった。
【０００９】
また、スイッチによる書込可否設定手段を備えた従来のメモリカードにおいては、書込の可不可をスイッチの切り換えで設定するため、書込可否設定操作は簡便である。しなしながら、メモリカード本体にスイッチを内蔵するため、メモリカード本体の小型化、薄型化に限界があった。
【００１０】
本発明は、設定操作が簡便で、メモリカード本体の小型化、薄型化が可能な書込可否設定手段を備えたメモリカードを提供することを目的としてなされたものである。
【００１１】
【課題を解決するための手段】
この課題を解決するために本発明のメモリカードは、平面形状の外形を形成する側部に矩形の切欠部が形成されるメモリカード本体と、該メモリカード本体の内部に収容された基板に実装され、データを少なくとも書き込み可能な半導体メモリと、該メモリカード本体に設けられ該半導体メモリと外部機器とを電気的に接続する端子と、該メモリカード本体の切欠部の内側における本体内部に形成された摺動孔に摺動自在に嵌合され該半導体メモリへの該データの書込可否を設定する書込可否設定子とを備え、前記書込可否設定子は、その一部が前記切欠部の一部を覆う第１位置と当該切欠部の他の一部を覆う第２位置とのいずれかの選択により、前記半導体メモリへのデータの書込可否を設定し、前記メモリカード本体の切欠部の内側に形成された摺動孔は、当該本体の弾性による変形が可能であり、該摺動孔の内部に嵌合溝を形成しており、前記書込可否設定子は、前記摺動孔に挿入することにより前記嵌合溝に嵌合されて摺動自在であると共に、前記切欠部の一部を覆う摺動位置により前記第１位置と第２位置の選択を視認可能に構成したものである。
【００１２】
これにより、側部よりの何らの突起物を有することなくカードとしての薄型形状を保ちながら、単に書込可否設定子を切欠部の内側の摺動孔に嵌合して摺動させる簡便な操作のみで切欠部を変えてデータの書込可否の設定ができ、しかも、メモリカード本体の側部の形状によりその設定状態を明瞭に視認することができると共に、摺動孔の弾性により書込可否設定子をメモリカード本体に確実に保持できる。また、切欠部と書込可否設定子をメモリカード本体の側部に設けたことにより、半導体メモリなどを内蔵できる有効面積の比率を大きくすることができ、メモリカード全体を小さくすることができるという作用を有する。
【００１３】
【発明の実施の形態】
本発明の請求項１に記載の発明は、請求項１に記載の発明は、平面形状の外形を形成する側部に矩形の切欠部が形成されるメモリカード本体と、該メモリカード本体の内部に収容された基板に実装され、データを少なくとも書き込み可能な半導体メモリと、該メモリカード本体に設けられ該半導体メモリと外部機器とを電気的に接続する端子と、該メモリカード本体の切欠部の内側における本体内部に形成された摺動孔に摺動自在に嵌合され該半導体メモリへの該データの書込可否を設定する書込可否設定子とを備え、前記書込可否設定子は、その一部が前記切欠部の一部を覆う第１位置と当該切欠部の他の一部を覆う第２位置とのいずれかの選択により、前記半導体メモリへのデータの書込可否を設定し、前記メモリカード本体の切欠部の内側に形成された摺動孔は、当該本体の弾性による変形が可能であり、該摺動孔の内部に嵌合溝を形成しており、前記書込可否設定子は、前記摺動孔に挿入することにより前記嵌合溝に嵌合されて摺動自在であると共に、前記切欠部の一部を覆う摺動位置により前記第１位置と第２位置の選択を視認可能に構成したものである。
【００１４】
これにより、側部よりの何らの突起物を有することなくカードとしての薄型形状を保ちながら、単に書込可否設定子を切欠部の内側の摺動孔に嵌合して摺動させる簡便な操作のみで切欠部を変えてデータの書込可否の設定ができ、しかも、メモリカード本体の側部の形状によりその設定状態を明瞭に視認することができると共に、摺動孔の弾性により書込可否設定子をメモリカード本体に確実に保持できる。また、切欠部と書込可否設定子をメモリカード本体の側部に設けたことにより、半導体メモリなどを内蔵できる有効面積の比率を大きくすることができ、メモリカード全体を小さくすることができるという作用を有する。
【００１５】
また、請求項２に記載の発明は、請求項６に記載のメモリカードにおいて、前記書込可否設定子は、前記摺動孔に挿入して嵌合する嵌合部を有し、当該嵌合部は最大幅部が摺動孔の幅より大きな寸法に形成して、前記本体に形成した嵌合溝に嵌合するように構成したものであり、これにより、嵌合を確実に行うことができるという作用を有する。
【００１６】
また、請求項３に記載の発明は、請求項６に記載のメモリカードにおいて、前記メモリカード本体は、前記嵌合溝内に係合部を形成し、前記書込可否設定子の摺動時における位置決めを行うように構成したものであり、これにより、書込可否設定子の選択位置を確実に設定できるできるという作用を有する。
【００１７】
また、請求項４に記載の発明は、請求項６に記載のメモリカードにおいて、前記書込可否設定子は、嵌合部の先端の幅が摺動孔の幅よりも小さい寸法になるように形成すると共に、その嵌合部の最大幅部に向けて傾斜する傾斜面を形成して、この書込可否設定子は、その嵌合部を前記摺動孔に嵌合する際、前記嵌合部の傾斜面を強制的に摺動孔に挿入することにより、摺動孔を押し広げてメモリカード本体に嵌合するように構成したものであり、押し広げて弾性変形させながら嵌合するので、多少の寸法バラツキがあっても、容易に嵌合することができるという作用を有する。
【００１８】
（実施の形態１）
以下本発明の実施の第１の形態について、図を用いて説明する。
【００１９】
図１は本発明の第１の実施の形態におけるメモリカードの組立状態の下面側斜視図、図２は下本体の一部を破断して示す斜視図、図３は一部分解状態の上面側斜視図、図４は上本体の一部を破断して示す斜視図、図５は図１におけるＡ−Ａ断面図、図６は書込可否設定子の操作説明図、図７は書込可否設定子の設定検出説明図である。
【００２０】
図１〜図５において、１はメモリカード上本体、２はメモリカード下本体であり、この上下本体１，２の２枚重ね合わせでメモリカード本体を構成している。３はメモリカード上本体１の側部に設けた切欠部であり、メモリカード上本体１の平面形状に矩形の凹欠をなし、この切欠部３には書込可否設定子４が摺動自在に配置構成される。すなわち、切欠部３の内側のメモリカード上本体１にスリット５により形成された弾性ガイド６を設け、またこのスリット５と対向する位置のメモリカード下本体２には溝７を設け、スリット５及び溝７と弾性ガイド６に書込可否設定子４を摺動自在に嵌合すると共に、その書込可否設定子４はメモリカード上下本体１，２間に挟持されるように構成されている。そして、書込可否設定子４は、その一部がメモリカード上本体１の切欠部３に臨んで当該切欠部３の一部を覆うように配置され、その摺動により切欠部３を覆う位置を選択するようになっている。
【００２１】
書込可否設定子４は、切欠部３を覆って書込可否設定を行うと共に手動による切り換え用つまみとなる操作部４ａと、スリット５に及び溝７に嵌合される抜止部４ｂと、前記操作部４ａと抜止部４ｂとを連結すると共に弾性ガイド６に接触し摺動する摺動接触部４ｃとを形成している。そして、書込可否設定子４は、スリット５を形成したメモリカード上本体１に嵌合されると共に、溝７を形成したメモリカード下本体２に覆われて、抜止部４ｂがスリット５と溝７に嵌合され、摺動接触部４ｃが弾性ガイド６とメモリカード下本体２との間に摺動可能に保持され挟持された状態となる。
【００２２】
メモリカード上本体１に設けた弾性ガイド６には、そのほぼ中央部に凸部６ａよりなる係合部を形成し、この凸部６ａを書込可否設定子４の摺動接触部４ｃが乗り越えて弾性ガイド６の両側にそれぞれ係止されることにより書込可否設定子４の切欠部３を覆う位置を選択するものである。すなわち、メモリカード上本体１の弾性ガイド６と書込可否設定子４の間に、弾性ガイド６に対する書込可否設定子４の摺動位置を係止するための係合部を設けられた形態となっている。これにより、書込可否設定子４の摺動におけるクリック感と可否設定の係止を同時に可能としおり、この凸部６ａの凸量を変化することにより、クリック感を調整することが可能である。ここで、凸部６ａよりなる係合部は、弾性ガイド６に凸部又は凹部よりなる第１の係合部を形成し、書込可否設定子４の摺動接触部４ｃにおける弾性ガイド６対応面に凹部又は凸部よりなる第２の係合部を形成し、書込可否設定子４の摺動によって第１の係合部に第２の係合部が係止されることにより行うように構成しても良い。また、それぞれが係脱自在な構成であれば個々の形状はこれに限定されるものではない。
【００２３】
メモリカード本体には、メモリカード下本体２側に形成したスリット８部分に機器との電気的接続をするための端子９を一体的に設けており、またその内部には内容を書き換え可能な半導体メモリ１０が実装された基板１１を有する。半導体メモリ１０は端子９を介して電気的に接続された機器（図示せず）から記憶内容の読み出しと書き換えが行われる。ここで、書き換えについては、誤って記憶内容を消去したり、上書きすることを防止するために後述する書込可否設定手段を備えている。
【００２４】
１２はラベル貼付領域であり、メモリカード上本体１の表面上に凹形状に形成され、図５に示すように、このラベル貼付領域１２に当該メモリーカードの所定の表示項目を印刷したラベル１２ａが貼付されるものである。ここで、書込可否設定子４の抜止部４ｂを、スリット５の端縁より極わずかに突出しないように形成することにより、ラベル１２ａの剥がれを防止する効果と、メモリカード下本体２の凹溝７をスリット形状にせず溝形状にし、スリット５側はラベル１２ａの貼付により、ガイド性は損なわず可視部の凹凸を無くし、外観を損ねない構成を可能としている。
【００２５】
以上のように構成されたメモリカードの作用を以下に説明する。
【００２６】
書込可否設定子４をメモリカード上下本体に狭持させるには、半導体メモリ１０が実装されている基板１１と同時に、メモリカード上本体１とメモリカード下本体２とで狭持する。ここで、書込可否設定子４は、メモリカード上下本体１，２間において、スリット５と弾性ガイド６と凹溝７にガイドされるかたちで所定の位置に狭持されており、切欠部３以外のメモリカード上本体１とメモリカード下本体２の外周は溶着または接着される。
【００２７】
このようにして、メモリカード上下本体１，２に狭持された書込可否設定子４は、その操作部４ａが切欠部３の一部を覆う。図６に示すように、覆われた部分は切欠部３の右左どちらかの約半分であり、図６の（ａ）では左側が覆われ、覆われた部分はメモリカード上本体１の外形と略一体となる。覆われない右側の約半分はメモリカード本体の平面形状に矩形の凹欠をなす。書込可否設定子４を右に摺動することにより、弾性ガイド６上の凸部６ａを書込可否設定子４の摺動接触部４ｃが乗り越えて、覆われる部分が図６の（ｂ）のように弾性ガイド６の右側に係止されるが、その乗り越える際に弾性ガイド６をたわませながら行うこととなる。この書込可否設定子４の摺動により切欠部３を覆う位置を選択することにより、当該メモリカードへのデータの書込可否を設定する。
【００２８】
メモリカードへのデータの書込可否の設定操作は、操作部４ａを手指で押さえて書込可否設定子４を右左にスライドさせることにより行う。このとき、書込可否設定子４は、凸部６ａにより、弾性ガイド６をたわませながら係脱することにより、適度なクリック感を伴って摺動させることができるとともに、不用意に書込可否設定子４が摺動してしまうことを防いでいる。また、切欠部３の書込可否設定子４に覆われない矩形の凹欠はインジケータ機能を併せ持ち、データの書込可否の設定状態を明瞭に視認することができる。また、ここで、書込可否設定子４の操作部４ａの両角部には段部４ｄを設けており、切欠部３を覆う方でメモリカード上本体１の側面縁との間に微少凹部を形成し、手指又は爪の係止が容易に行えるようになっている。
【００２９】
つぎに、メモリカードが挿入接続される機器がメモリカードの書込可否設定を検出する方法について図７を用いて説明する。
【００３０】
図７の（ａ）において、２２は本実施の形態のメモリカードが挿入接続される機器、２１は機器２２に設けられた検出スイッチであり、検出部２３と接点２４を備えている。ここで、書込可否設定子４は図６の（ａ）と同様に切欠部３の左側を覆っており、この書込可否設定子４が左に位置している状態をが書込可の設定であるとする。この書込可の設定においては、書込可否設定子４が切欠部３の左側を覆っているため、検出スイッチ２１の検出部２３が上に持ち上げられて接点２４が閉じる。この接点２４の閉を検出することにより、機器２２はメモリカードが書込可能であると認識することが可能である。
【００３１】
一方、図７の（ｂ）に示す書込可否設定子４が右に位置している状態が書込不可の設定である。この書込不可の設定においては、切欠部３の左側が書込可否設定子４に覆われないため、検出スイッチ２１の検出部２３が上に持ち上げられず接点２４が開く。この接点２４の開を検出することにより、機器２２はメモリカードが書込不可能であると認識することが可能である。
【００３２】
（実施の形態２）
つぎに本発明の第２の実施の形態について、図８を用いて説明する。図８は本発明の第２の実施の形態におけるスイッチ内臓メモリカードの断面図を示している。
【００３３】
基本構成は、実施の形態１と同構成である。図８に示すように、メモリーカードの内部の基板１１上にスイッチ１３を実装し、そのスイッチ１３の作動部１３ａを書込可否設定子４側に突出するように構成する。一方、書込可否設定子４に操作部４ｅを設け、この操作部４ｅがスイッチ１３の作動部１３ａに係合可能にように配置構成する。このために、メモリーカード上本体１とメモリーカード下本体２との間に、操作部４ｅと作動部１３ａ摺動又は移動するスペース１４を設けている。このような構成により、書込可否設定子４の摺動による書込可否と同時に、メモリーカード本体内部において電気的に切り換えを行うことが可能である。
【００３４】
（実施の形態３）
つぎに本発明の第３の実施の形態について、図９を用いて説明する。図９は本発明の第３の実施の形態における接点部内臓メモリーカードの断面図を示している。
【００３５】
基本構成は、実施の形態１と同構成である。図９に示すように、メモリーカードの内部の基板１１上に接点１５を設けると共に、書込可否設定子４に接片保持部４ｆ及び接片４ｇを設け、またメモリーカード上本体１とメモリーカード下本体２との間に、接片保持部４ｆ及び接片４ｇの摺動スペース１６設けることにより、書込可否設定子４の摺動による書込可否と同時に、電気的に切り換えを行うことが可能である。
【００３６】
（実施の形態４）
つぎに本発明の第４の実施の形態について、図１０を用いて説明する。図１０は本発明の第４の実施の形態におけるメモリーカードの書込可否設定子４を備える部分の断面図を示している。
【００３７】
基本構成は、実施の形態１と同構成である。図１０に示すように、この実施の形態においては、実施の形態１におけるメモリーカード上本体１に形成したスリット５に替え、当該部分に凹溝１７を形成したものであり、この凹溝１７とメモリーカード下本体２に形成した凹溝７とに、書込可否設定子４の抜止部４ｂを嵌合するようにしたものである。
【００３８】
以上説明した各実施の形態において、スリット５の大きさ、凹溝７又は１７の深さ、また弾性ガイド６の厚み、凸部６ａの高さ等については、メモリーカード上下本体１，２及び書込可否設定子４を構成する合成樹脂等材料の材質とも相まって、摺動時の弾性強度、クリック感触等設定に応じて、適宜設定されうるものである。
【００３９】
（実施の形態５）
つぎに本発明の第５の実施の形態について、図１１を用いて説明する。図１１は本発明の第５の実施の形態におけるメモリーカードの書込可否設定子を備える部分の断面図を示している。
【００４０】
メモリカード本体１，２は、切欠部３の内側に上下本体１，２により摺動孔１８を形成し、この摺動孔１８の内部におけるメモリカード本体１，２に、溝１９，２０を形成しており、この溝１９，２０をその近傍の本体１，２の弾性変形を利用して弾性ガイドとしている。このメモリカード本体１，２は、両本体が予め超音波溶着等により、図示する状態に一体に接合されて重ね合わせ構造となっており、したがって切欠部３の内側には側面方向に開放する前述の摺動孔１８が形成されている。なお、２１は溝２０内に形成された係合部であり、後述する書込可否設定子４の摺動時における位置決めを行うように構成されている。
【００４１】
ここで、書込可否設定子４は、メモリカード本体１，２に形成した摺動孔１８に挿入して嵌合する嵌合部４ｈを有し、この嵌合部４ｈは、摺動孔１８の幅Ｄ１に対し、最大幅部４ｊの幅Ｄ２の方を大きな寸法に形成し、先端部４ｋの幅Ｄ３の方が小さい寸法になるように形成しており、したがって、嵌合部４ｈは先端部４ｋより最大幅部４ｊに向けて傾斜する傾斜面４ｍを形成している。
【００４２】
このように形成した書込可否設定子４は、図１１に示すように、摺動孔１８に対して、矢印方向に強制的に挿入することにより、その挿入する際に、嵌合部４ｈの傾斜面４ｍにより、弾性材より成るメモリカード本体１，２の摺動孔１８近傍を押し広げ、弾性変形させながら挿入され、嵌合部４ｈを溝１９，２０に嵌合することとなる（嵌合状態の書込可否設定子４’を破線で示す）。そして、嵌合後は、前述した実施形態のものと同様、溝２０内に形成した係合部２１により、メモリカード本体１，２が弾性変形して書込可否設定子４の位置決めを行うことができることとなる。
【００４３】
以上のように、この実施形態では、書込可否設定子４は摺動孔１８に挿入嵌合するのみで上下本体１，２を弾性変形させながら嵌合することができる。また、上下本体１，２の接合時には、書込可否設定子４の嵌合状態を気にすることなく、さらに接合時に誤って書込可否設定子４を上下本体１，２の溶着等により固定してしまうこともなく、重ね合わせて一体化することができる。また、前記書込可否設定子４は、傾斜面４ｍにより、挿入時に、摺動孔１８を押し広げてメモリカード本体に嵌合するように構成したことにより、上下本体１，２を押し広げて弾性変形させながら嵌合するので、多少の寸法バラツキがあっても、容易に嵌合することができる。
【００４４】
【発明の効果】
以上のように本発明によれば、メモリカード本体の側部よりの何らの突起物を有することなくカードとしての薄型形状を保ちながら、単に書込可否設定子を切欠部の内側の摺動孔に嵌合して摺動させる簡便な操作のみで切欠部の選択位置を変えてデータの書込可否の設定ができ、しかも、メモリカード本体の側部の形状によりその設定状態を明瞭に視認することができると共に、摺動孔の弾性により書込可否設定子をメモリカード本体に確実に保持できる。また、切欠部と書込可否設定子をメモリカード本体の側部に設けたことにより、半導体メモリなどを内蔵できる有効面積の比率を大きくすることができ、メモリカード全体を小さくすることができるという優れた効果を有するものである。
【図面の簡単な説明】
【図１】本発明の第１の実施の形態によるメモリカードの組立状態の下面側斜視図
【図２】同下本体の一部を破断して示す斜視図
【図３】同一部分解状態の上面側斜視図
【図４】同上本体の一部を破断して示す斜視図
【図５】同図１におけるＡ−Ａ断面図
【図６】同書込可否設定子の操作説明図
【図７】同書込可否設定子の設定検出説明図
【図８】本発明の第２の実施の形態によるメモリカードの断面図
【図９】本発明の第３の実施の形態によるメモリカードの断面図
【図１０】本発明の第４の実施の形態によるメモリカードの断面図
【図１１】本発明の第５の実施の形態によるメモリカードの断面図
【図１２】反射シートによる書込可否設定手段を備えた従来のメモリカードの斜視図
【図１３】スイッチによる書込可否設定手段を備えた従来のメモリカードの斜視図
【符号の説明】
１  メモリカード上本体
２  メモリカード下本体
３  切欠部
４  書込可否設定子
４ａ  操作部
４ｈ  嵌合部
４ｍ  傾斜面
５  スリット
６  弾性ガイド
６ａ  係合用凸部
７，１７  凹溝
９  端子
１０  半導体メモリ
１１  基板
１２  ラベル貼付領域面
１３  スイッチ
１５  接点
１８  摺動孔
１９，２０  溝
２１  係合部
【図１】
0003724479.tif 000002
【図２】
0003724479.tif 000003
【図３】
0003724479.tif 000004
【図４】
0003724479.tif 000005
【図５】
0003724479.tif 000006
【図６】
0003724479.tif 000007
【図７】
0003724479.tif 000008
【図８】
0003724479.tif 000009
【図９】
0003724479.tif 000010
【図１０】
0003724479.tif 000011
【図１１】
0003724479.tif 000012
【図１２】
0003724479.tif 000013
【図１３】
0003724479.tif 000014